(57)【要約】      （修正有）【課題】比較的設置作業が簡便であり、使用する時に設置し不使用時には室内へ保管することができる、着脱自在でありながら、盗難のおそれが少ない宅配ボックスを提供することにある。【解決手段】宅配ボックスは、門扉やフェンスまたは玄関先に予め付設される取り付け金具３と、宅配物が収納され、その取り付け金具３に着脱自在に係止される宅配ボックス本体とからなり、取り付け金具３は、略矩形状を成す基板と、基板の上端部近傍に基板を貫通する施錠穴２１と、所要位置に基板を門扉などの格子に付設するためのボルト孔２２と、基板の表面所要位置に突設された側面視略Ｌ字形状を成す係止フック２３と、基板の表面において、宅配ボックス本体を係止した際に底板が当接する位置に、宅配ボックス本体を支持する支持フレーム２４と、裏面の所要位置に滑り止め２８とを有する。【選択図】図４
0003212389.tif 000002
【実用新案登録請求の範囲】
【請求項１】
使用する際に荷受人によって門扉やフェンスまたは玄関先に係止され、配送業者によって宅配物が収納される宅配ボックスであって、門扉やフェンスまたは玄関先に予め付設される取り付け金具と、宅配物が収納され前記取り付け金具に着脱自在に係止される宅配ボックス本体とからなり、前記取り付け金具は、略矩形状を成す基板と、該基板の上端部近傍に該基板を貫通する施錠穴と、前記基板の所要位置に該基板を付設するためのボルト孔と、前記基板の所要位置に突設された係止フックとからなり、前記宅配ボックス本体は、それぞれ略矩形状を成す前板と左右各側板と背板と底板と開口部とから成る略直方体の収納部と、該開口部を覆う蓋部と、前記背板の外側所要の位置に突設され前記係止フックと着脱自在となる係止部と、前記蓋部の上面であって背板側の周縁近傍に立設し前記基板と重合する施錠金具とを有し、該施錠金具は、前記施錠穴と連通し南京錠で施錠可能となる蓋部施錠穴とを有し、前記ボルト孔の一部は、前記宅配ボックス本体が前記取り付け金具に係止された状態で、前記宅配ボックス本体の背面に位置することを特徴とする宅配ボックス。
【請求項２】
前記取り付け金具と門扉やフェンスの格子が介在した状態で対向する位置に配設される固定板と、前記取り付け金具と前記固定板とを螺合する取り付けボルトとからなり、前記固定板は、前記取り付けボルトと螺合する螺合溝が刻設されていることを特徴とする請求項１に記載の宅配ボックス。
【請求項３】
前記基板の前記係止フックが突設されている面において、前記収納部の底板が当接する位置に、前記宅配ボックス本体を支持する支持フレームを有することを特徴とする請求項１または請求項２のいずれか１項に記載の宅配ボックス。
【請求項４】
前記前板と前記左右各側板と前記背板と前記底板と前記蓋部との内側には、略矩形状の断熱材が被着されていることを特徴とする請求項１から請求項３のいずれか１項に記載の宅配ボックス。
【請求項５】
前記施錠金具は、前記蓋部の上面に立設された一対の基台と、該基台に回動自在に軸着されている施錠軸部と、該施錠軸部に突設された施錠板と、該施錠板先端縁部近傍において前記施錠板を貫通する蓋部施錠穴とからなることを特徴とする請求項１から請求項４のいずれか１項に記載の宅配ボックス。
【考案の詳細な説明】
【技術分野】
【０００１】
本考案は、一般住宅、アパート、マンション等の各種住宅に設置される宅配ボックスに関するものである。特に、使用時に設置し、不使用時には取り外すことができる、着脱自在の宅配ボックスに関する。
【背景技術】
【０００２】
まず初に、近年、インターネット販売の増加に伴い、宅配便の利用数が増大している、宅配業界の状況がある。
その状況の中で、荷受人の状況としては、特に都市部において核家族化が進み、共稼ぎ夫婦の家庭や単身者も増えている。
その結果、荷物が届く時に荷受人が不在となりがちで、荷物がスムーズに受け取れない問題がある。
さらに、一人暮らしの女性等は、配達員と直接対面することをきらい、配達員が残した不在票で安全を確認した後、はじめて再配達を依頼するなどの状況も発生している。
【０００３】
他方、宅配便の配送業者は、荷受人が不在の場合は、不在票を発行し、宅配物を一旦持ち帰り、その後に再配達をするということが頻繁に行われている。
上記のように、荷物の再配達が増加すると、宅配便の配送業者にとっては工数増加によるコストＵＰが重大な問題となっている。
【０００４】
そこで、このような問題に対して特許文献１には、玄関壁や門塀などに設置でき、荷受人が不在時に受け取れる宅配ボックスが開示されている。
また、特許文献２には、ドアに着脱できる宅配ボックスが開示されている。
【先行技術文献】
【特許文献】
【０００５】
【特許文献１】特開平６−１０００８１号公報
【特許文献２】特開２０１０−５１７０４号公報
【考案の概要】
【考案が解決しようとする課題】
【０００６】
しかしながら、上記特許文献１に記載の宅配ボックスは、壁面に宅配ボックス自体を埋設する必要があり、設置作業が煩雑となる問題があった。また、埋設することができない場合には、玄関周辺や門周辺に立設することになるが、その場合は盗難のおそれがあり、美観も損なう等の問題があった。
【０００７】
また、上記特許文献２に記載の宅配ボックスは、ドアへの取り付けに際し、ドアと建物の間に所要の間隙が必要となり、近年の建て付けが良い建物においては、取り付けが困難な場合が多いという問題もあった。
【０００８】
本考案は、上記課題を鑑みてなされたものであり、その具体的目的は、比較的設置作業が簡便であり、使用する時に設置し、不使用時には室内へ保管することができるように着脱自在でありながら、盗難のおそれが少ない宅配ボックスを提供することにある。
【課題を解決するための手段】
【０００９】
本考案は、上記目的を達成するために案出されたものである。詳述するならば、使用する際に荷受人によって門扉やフェンスまたは玄関先に係止され、配送業者によって宅配物が収納される宅配ボックスである。
その構成は、門扉やフェンスまたは玄関先に予め付設される取り付け金具と、宅配物が収納され前記取り付け金具に着脱自在に係止される宅配ボックス本体とからなる。また、前記取り付け金具は、略矩形状を成す基板と、該基板の上端部近傍に該基板を貫通する施錠穴と、前記基板の所要位置に該基板を門扉などに付設するためのボルト孔と、前記基板の表面において所要位置に突設された側面視略Ｌ字形状を成す係止フックとからなる。さらに、前記宅配ボックス本体は、それぞれ略矩形状を成す前板と左右各側板と背板と底板と開口部とから成る略直方体の収納部と、該開口部を覆う蓋部と、前記背板の外側で所要の位置に突設され前記係止フックと着脱自在となる係止部と、前記蓋部の上面であって背板側の周縁近傍に立設し前記基板と重合する施錠金具とを有し、該施錠金具は、前記施錠穴と連通し南京錠で施錠可能となる蓋部施錠穴とからなる。
ここで、前記ボルト孔の一部は、前記宅配ボックス本体が前記取り付け金具に係止された状態で、前記宅配ボックス本体の背面に位置する構成が含まれる。
【００１０】
本考案の宅配ボックスは、取り付け金具を予め門扉やフェンスまたは玄関先に付設することで、宅配ボックス本体は着脱自在となる。そのため、使用時には門扉やフェンスまたは玄関先の取り付け金具に係止し、不使用時には室内に保管することができる。また、その宅配ボックスを取り付け金具に係止した状態においては、取り付け金具のボルト孔の一部が、宅配ボックス本体の背面に配置され、加えて、上記した施錠穴と蓋部施錠穴とを南京錠で施錠することで、宅配ボックス本体を取りはずすことは出来ないことから、盗難のおそれが少ないという効果がある。
【００１１】
さらに説明すると、本考案には、前記取り付け金具と門扉やフェンスの格子が介在した状態で対向する位置に配設される固定板と、前記取り付け金具と前記固定板とを螺合する取り付けボルトとからなり、前記固定板は、前記取り付けボルトと螺合する螺合溝が刻設されている構成が含まれる。
【００１２】
本考案によれば、門扉やフェンスまたは玄関先の格子等を上記取り付け金具と、上記固定板との間に介在させ、取り付けボルトで螺合し付設できるので、設置作業が簡便である。
【００１３】
本考案には、前記基板の前記係止フックが突設されている面において、前記底板が当接する位置に、前記宅配ボックス本体を支持する支持フレームを有する構成が含まれる。
【００１４】
加えて、本考案の宅配ボックスは、収納部の底板に当接する支持フレームを有することから、宅配物が重量物であっても、宅配物を収納し保持することができる。
【００１５】
また、本考案には、前記前板と前記左右各側板と前記背板と前記底板と前記蓋部との内側には、略矩形状の断熱材が被着されている構成が含まれる。
【００１６】
上記の如く、本考案によれば、収納部内の温度上昇を抑制する効果があり、さらに、同時に冷却剤を使用することによって、宅配物を収納している間に内容物の品質劣化を防止する効果がある。
【００１７】
さらに、本考案には、前記施錠金具が、前記蓋部の上面に立設された一対の基台と、該基台に回動自在に軸着されている施錠軸部と、該施錠軸部に突設された施錠板と、該施錠板先端縁部近傍において前記施錠板を貫通する蓋部施錠穴とからなる構成が含まれる。
【００１８】
本考案によれば、施錠金具が回動自在に軸着されていることから、蓋部を開閉する際に邪魔となることが無く、かつ、施錠穴と蓋部施錠穴とを南京錠で施錠する作業が容易となる。
【考案の効果】
【００１９】
本考案の宅配ボックスは、取り付け金具を利用することから、比較的設置作業が簡便である。また、宅配ボックス本体は取り付け金具に着脱自在であることから、使用時には取り付け金具に設置し、不使用時には室内に保管でき、さらに、設置時には取り付け金具付設用のボルトが、宅配ボックスの背面に位置すること、及び、宅配ボックス本体と取り付け金具とが施錠可能なために、盗難のおそれが少ない効果がある。
【図面の簡単な説明】
【００２０】
【図１】本考案にかかる宅配ボックスの第１実施形態を示した斜視図である。
【図２】図１に示した宅配ボックスを示す側面図である。
【図３】図１に示した宅配ボックス本体を示す背面図である。
【図４】図１に示した宅配ボックスに使用する、取り付け金具の作動状態を示す側面図である。
【図５】図４に示した支持フレームの作動状態を示す底面図である。
【図６】図４に示した取り付け金具の格納状態を示す正面図である。
【図７】図１に示した固定板の正面図である。
【図８】図２に示した宅配ボックスの蓋部を開けた状態を示す側面図である。
【図９】本考案にかかる宅配ボックスの第２実施形態を示した斜視図である。
【考案を実施するための形態】
【００２１】
以下、本考案の実施形態を図面を参照しながら説明する。なお、実施形態において、本考案の宅配ボックスを格子に設置した状態において、格子側と反対側を宅配ボックスの前板側とし、格子側を背板側とし、また、宅配ボックス左右方向と平行する方向を幅方向という。さらに、取り付け金具は、宅配ボックス側の面が表面とし、固定板は格子に接する面を表面という。
【００２２】
（第１実施形態）
図１に示されるように、本考案の宅配ボックス１は、門扉やフェンスまたは玄関先等の格子５０に予め付設された取り付け金具３と、その取り付け金具３と格子５０が介在した状態で対向する位置に配設される固定板４と、宅配物が収納され取り付け金具３に着脱自在に係止される宅配ボックス本体２とからなる。
【００２３】
（宅配ボックス本体）
図１、図３及び図８に示されるように、その宅配ボックス本体２は、それぞれ略矩形状を成す前板５と左側板６と右側板７と背板８と底板９と開口部１０とから成る略直方体の収納部１１と、収納部１１の開口部１０を覆う蓋部１２と、その背板８の外側であって収納部１１の幅方向の略中央の位置に突設された取り付け金具３と着脱自在となる係止部１３と、蓋部１２の上面で背板側周縁近傍であって、蓋部１２の幅方向の略中央の所要位置に立設する施錠金具１４と、蓋部１２の背板側周縁の左右両隅近傍にロック部材１５，１５とを有する。
【００２４】
その蓋部１２は、それぞれ左側板６と右側板７の上縁部と、前板側縁部との交点近傍に軸部１６，１６を有し、回動自在に軸着されていることで、収納部１１の開閉が可能となる。
また、ロック部材１５，１５によって蓋部１２の閉鎖状態が維持されると同時に、ロック部材１５，１５を解放することで、蓋部１２が開放可能となる。
【００２５】
さらに、開口部１０の内周縁には、フランジ部（図示せず）が形成されており、そのフランジ部には、蓋部１２と当接する位置に緩衝効果と防水効果が得られるパッキン１７が貼着されている。
【００２６】
宅配ボックス本体２の内壁、すなわち、前板５と左側板６と右側板７と背板８と底板９と蓋部１２との内側には、収納部１１の内部温度が外気温度に影響され、主に上昇するのを防ぐために略矩形状の断熱材が被着されている。
【００２７】
施錠金具１４は、蓋部１２の上面に立設された一対の基台１４ａ，１４ａと、その基台１４ａ，１４ａに軸着されている施錠軸部１４ｂと、施錠軸部１４ｂに突設された施錠板１４ｃと、施錠板先端縁部近傍において施錠板１４ｃを貫通する蓋部施錠穴１４ｄとからなる。
【００２８】
係止部１３は、略矩形状の板状からなり、背板８と平行する位置で、かつ、所要の間隙を有するように、略矩形状の左右両端部を折り曲げ背板８に付設されている。
また、係止部１３の上端部には、取り付け金具３の抜け止めとなるストッパー部１３ａを有する。
【００２９】
（取り付け金具）
図４及び図６に示されるように取り付け金具３は、略矩形状を成す基板２０と、基板２０の上端部近傍に基板２０を貫通する施錠穴２１と、基板２０の所要位置に基板２０を門扉などの格子５０に付設するためのボルト孔２２と、基板２０の表面所要位置に突設された側面視略Ｌ字形状を成す係止フック２３と、基板２０の表面において、宅配ボックス本体２を係止した際に底板９が当接する位置に、宅配ボックス本体２を支持する支持フレーム２４と、裏面の所要位置に滑り止め２８とを有する。
【００３０】
係止フック２３は、係止部１３と嵌合する正面視略矩形状を成し、取り付け金具３を固定する取り付けボルト３２ｂを挿入可能な貫通孔２５を有する。また、取り付け金具３の表面と係止フック２３との間には、係止部１３を嵌合可能となる間隙を有し、さらに、その間隙は、先端部は係止部１３を挿入し易いやや広い幅の間隙Ｔ１を有し、その下部においては、係止部１３が嵌合し安定する狭い幅の間隙Ｔ２に形成されている。
【００３１】
支持フレーム２４は、取り付け金具３の表面所要の位置に、フレーム軸２６で軸着され、図４の矢印で示すように回動自在となっている。その開放状態においては、取り付け金具３の表面に対して垂直の位置で固定され、宅配ボックス本体２を有効に支持可能となる。また、閉鎖状態においては、取り付け金具３に埋設された磁性体２７によって、取り付け金具３の表面に磁着されている。
さらに、支持フレーム２４が強磁性体で製造されていない場合には、上記磁性体２７と対向する位置に強磁性体からなるシートを貼着すれば良い。
【００３２】
図５に示すように、支持フレーム２４は、一対の補助アーム２４ａ，２４ａを有し、その補助アーム２４ａ，２４ａはそれぞれ矢印で示すように回動自在に軸着されており、使用時においては幅広に広げて使用し、格納時には幅狭状態に格納する構成となっている。
【００３３】
滑り止め２８は、取り付け金具３の裏面で格子５０へ設置する際格子５０と当接する位置に貼着されており、その形状は、基板２０の幅方向の長さと略同じ長さを有する略矩形状に形成されている。
【００３４】
（固定板）
図７に示すように固定板４は、格子５０を介在した状態で取り付け金具３を格子５０に固定し得る所要の大きさを有する略矩形状から成り、取り付けボルト３２ａ，３２ｂ，３２ｃと螺合する螺合溝３１が所要の位置に刻設され、表面には取り付け金具３と同様に、滑り止め２８が貼着されている。
【００３５】
宅配ボックス本体２は、アルミニウム合金やステンレス鋼などのスチールを素材として、プレス加工や切削加工及び溶接等で形成される。また、滑り止め２８とパッキン１７とは、天然ゴムや合成ゴム、または、ポリウレタンの板材を切断加工して形成されている。さらに、断熱材は、発砲ポリプロピレンや発泡ポリエチレンまたは、発泡ポリスチレン等を材料として板状に加工して形成されている。
【００３６】
図２は、本実施形態の使用状態を示している。
予め格子５０に、取り付け金具３を固定板４と取り付けボルト３２ａ，３２ｂ，３２ｃとで固定する。
次に、荷受人は、宅配ボックス本体２を取り付け金具３に係止し、収納部１１の内に認印と開錠状態の南京錠６０を配置する。
一方、宅配人は、配達時に自ら認印で受領書に押印後、認印と宅配物を収納部１１内に収めた後、蓋部を閉め、南京錠６０で施錠穴２１と蓋部施錠穴１４ｄとを施錠する。
他方、荷受人は、帰宅後に南京錠６０を開錠し、宅配ボックス本体２ごと室内へ持ち帰ることができる。
【００３７】
このように、本実施形態によれば、南京錠６０が施錠状態においては、取り付けボルト３２ａ，３２ｂが宅配ボックス本体２の背面に隠れることから、取り付け金具３は容易に取り外すことが出来ず盗難防止の効果が得られる。
取り付け金具３の設置に関しても、固定板４と取り付けボルト３２ａ，３２ｂ，３２ｃとで格子５０に固定するだけで、比較的容易に取り付けることができる。
【００３８】
（第２実施形態）
図９に示すように、設置する位置に格子５０などが無い場合は、例えば玄関脇の壁面７０に直接取り付け金具３を付設することができる。その場合は、固定板４と取り付けボルト３２ａ，３２ｂ，３２ｃは使用せず、例えば、取り付け金具３をコンクリートビス等で直接壁面７０に固定し使用することができる。
【００３９】
図９に示すように玄関脇に設置すると、一人暮らしの女性が出前を注文し、配達人と直接対面したくない場合に有効に使用できる。
例えば、注文後宅配ボックスに注文品の料金を入れダイヤル式の錠前で施錠し、注文時にダイヤル番号を伝えておけば、配達人は、開錠後料金を受け取り、配達物を宅配ボックスに収納することができる。
以上のように使用すれば、注文者は、配達人と対面することなく、出前を受け取ることが可能となる。
【００４０】
以上のように、本考案を実施するための最良の構成、方法等は、上記記載で開示されているが、本考案は、これに限定されるものではない。例えば、上記実施形態では、宅配ボックス本体２は、アルミニウム合金やステンレス鋼などのスチールを素材として、プレス加工や切削加工及び溶接等で形成されると説明したが、エンジニアリングプラスチック等を使用しても良い。
【符号の説明】
【００４１】
１    宅配ボックス
２    宅配ボックス本体
３    取り付け金具
４    固定板
５    前板
６    左側板
７    右側板
８    背板
９    底板
１０  開口部
１１  収納部
１２  蓋部
１３  係止部
１４  施錠金具
１４ａ  基台
１４ｂ  施錠軸部
１４ｃ  施錠板
１４ｄ  蓋部施錠穴
１５  ロック部材
１６  軸部
１７  パッキン
２０  基板
２１  施錠穴
２２  ボルト孔
２３  係止フック
２４  支持フレーム
２４ａ  補助アーム
２５  貫通孔
２６  フレーム軸
２７  磁性体
２８  滑り止め
３１  螺合溝
３２ａ  取り付けボルト
３２ｂ  取り付けボルト
３２ｃ  取り付けボルト
５０  格子
６０  南京錠
７０  壁面
【図１】
0003212389.tif 000003
【図２】
0003212389.tif 000004
【図３】
0003212389.tif 000005
【図４】
0003212389.tif 000006
【図５】
0003212389.tif 000007
【図６】
0003212389.tif 000008
【図７】
0003212389.tif 000009
【図８】
0003212389.tif 000010
【図９】
0003212389.tif 000011